(57)【要約】【課題】走行車両に対して作業装置が車両幅方向にオフセットした場合であっても、作業装置による作業跡が目標走行経路に対して車両幅方向にずれてしまうことがない作業車両を提供すること。【解決手段】作業車両は、目標走行経路に沿って自動走行可能な走行車両と、前記走行車両に装着される作業装置と、前記走行車両の幅方向中心と前記作業装置の特定位置との車両幅方向のオフセット量及びオフセット方向を取得するオフセット取得部と、前記オフセット取得部が取得したオフセット量及びオフセット方向に基づいて、前記特定位置が前記目標走行経路上に位置するように前記走行車両の走行位置を修正する走行位置修正部と、を備えている。【選択図】図１３Ａ
2020103087.tif 000002
【特許請求の範囲】
【請求項１】
目標走行経路に沿って自動走行可能な走行車両と、
前記走行車両に装着される作業装置と、
前記走行車両の幅方向中心と前記作業装置の特定位置との車両幅方向のオフセット量及びオフセット方向を取得するオフセット取得部と、
前記オフセット取得部が取得したオフセット量及びオフセット方向に基づいて、前記特定位置が前記目標走行経路上に位置するように前記走行車両の走行位置を修正する走行位置修正部と、
を備えている作業車両。
【請求項２】
前記作業装置は、前記走行車両の後部に装着され、
前記オフセット取得部は、前記作業装置の幅方向中心を前記特定位置として前記オフセット量及びオフセット方向を取得する請求項１に記載の作業車両。
【請求項３】
前記オフセット量を入力するオフセット量入力部と、前記オフセット方向を入力するオフセット方向入力部と、を表示可能な表示装置を備え、
前記オフセット取得部は、前記オフセット量入力部に入力されたオフセット量及び前記オフセット方向入力部に入力されたオフセット方向を取得する請求項１又は２に記載の作業車両。
【請求項４】
前記走行車両の後部に設けられ且つ前記作業装置を装着する装着体と、
前記走行車両の幅方向中心と前記特定位置とが車両幅方向において一致するときの前記装着体の位置を基準位置とし、当該基準位置に対する前記装着体の車両幅方向の位置の変化を検出する検出部と、
を備え、
前記オフセット取得部は、前記検出部が検出した変化に基づいて前記オフセット量及びオフセット方向を取得する請求項１又は２に記載の作業車両。
【請求項５】
前記装着体は、ロアリンクと、トップリンクと、リフトロッドとを備えた３点リンク機構から構成されており、
前記作業装置は、少なくとも前記ロアリンクに連結されており、
前記検出部は、前記ロアリンクの位置が前記基準位置から変化したときに当該変化を検出するセンサを含む請求項４に記載の作業車両。
【請求項６】
前記センサは、角度センサ又はストロークセンサである請求項５に記載の作業車両。
【発明の詳細な説明】
【技術分野】
【０００１】
本発明は、走行車両と作業装置とを備えた作業車両に関する。
【背景技術】
【０００２】
従来、特許文献１に開示された作業車両が知られている。
特許文献１に開示された作業車両は、目標走行経路に沿って自動走行する走行車両（トラクタ）と、走行車両に装着される作業装置とを備えている。
【先行技術文献】
【特許文献】
【０００３】
【特許文献１】特開２０１８−１１６６０８号公報
【発明の概要】
【発明が解決しようとする課題】
【０００４】
特許文献１に開示された作業車両では、走行車両を目標走行経路に沿って自動走行させることができる。しかしながら、目標走行経路は、走行車両の幅方向中心と作業装置の幅方向中心とが一致していることを前提として作成されているため、走行車両に対して作業装置が車両幅方向にオフセットした場合には、作業装置による作業跡が目標走行経路に対して車両幅方向にずれてしまうという問題があった。
【０００５】
本発明は、上記したような実情に鑑みてなされたものであって、走行車両に対して作業装置が車両幅方向にオフセットした場合であっても、作業装置による作業跡が目標走行経路に対して車両幅方向にずれてしまうことがない作業車両を提供するものである。
【課題を解決するための手段】
【０００６】
本発明の一態様に係る作業車両は、目標走行経路に沿って自動走行可能な走行車両と、前記走行車両に装着される作業装置と、前記走行車両の幅方向中心と前記作業装置の特定位置との車両幅方向のオフセット量及びオフセット方向を取得するオフセット取得部と、前記オフセット取得部が取得したオフセット量及びオフセット方向に基づいて、前記特定位置が前記目標走行経路上に位置するように前記走行車両の走行位置を修正する走行位置修正部と、を備えている。
【０００７】
また、前記作業装置は、前記走行車両の後部に装着され、前記オフセット取得部は、前記作業装置の幅方向中心を前記特定位置として前記オフセット量及びオフセット方向を取得する。
また、前記オフセット量を入力するオフセット量入力部と、前記オフセット方向を入力するオフセット方向入力部と、を表示可能な表示装置を備え、前記オフセット取得部は、前記オフセット量入力部に入力されたオフセット量及び前記オフセット方向入力部に入力されたオフセット方向を取得する。
【０００８】
また、前記走行車両の後部に設けられ且つ前記作業装置を装着する装着体と、前記走行車両の幅方向中心と前記特定位置とが車両幅方向において一致するときの前記装着体の位置を基準位置とし、当該基準位置に対する前記装着体の車両幅方向の位置の変化を検出する検出部と、を備え、前記オフセット取得部は、前記検出部が検出した変化に基づいて前記オフセット量及びオフセット方向を取得する。
【０００９】
また、前記装着体は、ロアリンクと、トップリンクと、リフトロッドとを備えた３点リンク機構から構成されており、前記作業装置は、少なくとも前記ロアリンクに連結されており、前記検出部は、前記ロアリンクの位置が前記基準位置から変化したときに当該変化を検出するセンサを含む。
また、前記センサは、角度センサ又はストロークセンサである。
【発明の効果】
【００１０】
上記作業車両によれば、オフセット取得部が取得した作業装置の特定位置のオフセット量及びオフセット方向に基づいて、走行位置修正部により特定位置が目標走行経路上に位置するように走行車両の走行位置を修正することができるため、走行車両に対して作業装
置が車両幅方向にオフセットした場合であっても、作業装置による作業跡が目標走行経路に対して車両幅方向にずれてしまうことがない。
【図面の簡単な説明】
【００１１】
【図１】本発明に係る作業車両の構成を示すブロック図等である。
【図２】装着体（昇降装置）を左斜め後方から見た斜視図である。
【図３】自動走行制御部の作用を説明するための説明図である。
【図４】自動走行制御部の作用を説明するための説明図である。
【図５Ａ】作業装置の特定位置が、車両幅方向において、作業装置の幅方向中心と一致する場合を示す図である。
【図５Ｂ】作業装置の特定位置が、車両幅方向において、作業装置の幅方向中心と一致しない場合を示す図である。
【図６】オフセット取得部の第１構成において表示装置の表示部に表示される設定画面の一例を示す図である。
【図７Ａ】装着体が基準位置にあるときの状態を示す作業車両の全体図である。
【図７Ｂ】装着体が基準位置にあるときの状態を示す作業車両の要部拡大図である。
【図８】検出部として角度センサを使用した第１検出機構の例を示す図である。
【図９】走行車両の幅方向中心に対して作業装置の特定位置が右側にオフセットした場合の第１検出機構を示す図である。
【図１０】検出部としてストロークセンサを使用した第２検出機構の例を示す図である。
【図１１】走行車両の幅方向中心に対して作業装置の特定位置が右側にオフセットした場合の第２検出機構を示す図である。
【図１２】走行位置修正部によって走行車両の走行位置の修正が行われる場合の走行車両及び作業車両の位置の一例を示す図である。
【図１３Ａ】走行位置修正部により、作業装置の特定位置が目標走行経路上に位置するように走行車両の走行位置が修正される様子を示す図である。
【図１３Ｂ】走行位置修正部により、作業装置の特定位置が目標走行経路上に位置するように走行車両の走行位置が修正される様子を示す図である。
【図１３Ｃ】走行位置修正部により、作業装置の特定位置が目標走行経路上に位置するように走行車両の走行位置が修正される様子を示す図である。
【図１４】本発明に係る作業車両の一実施形態を示す側面図である。
【発明を実施するための形態】
【００１２】
以下、本発明の実施の形態を図面に基づいて説明する。
図１４は、作業車両１の一実施形態を示す側面図である。
作業車両１は、走行車両２と作業装置２０とを備えている。走行車両２は、本実施形態の場合はトラクタである。以下、走行車両２がトラクタ２であるとして説明する。但し、走行車両２はトラクタには限定されない。
＜走行車両（トラクタ）の概要＞
図１４に示すように、トラクタ２は、車体３と、走行装置４と、昇降装置５と、を備えている。以下、トラクタ２の運転席１１に着座した運転者の前側（図１４の矢印Ａ１方向）を前方、運転者の後側（図１４の矢印Ａ２方向）を後方、運転者の左側を左方、運転者の右側を右方として説明する。また、トラクタ２の前後方向に直交する水平方向を車両幅方向として説明する。また、車両幅方向の中心を「幅方向中心」と称する。
【００１３】
車体３は、車体フレーム６と、クラッチハウジング７と、ミッションケース８とを有している。車体フレーム６は、車体３の前後方向に延びている。車体フレーム６には、原動機９が搭載されている。本実施形態の場合、原動機９はエンジン９である。クラッチハウジング７は、エンジン９の後部に連設されており、クラッチを収容している。ミッションケース８は、クラッチハウジング７の後部に連結されており、変速装置や後輪差動装置等を収容している。変速装置は、主変速装置と副変速装置とを含む。変速装置は、変速によって走行装置４の推進力の大きさを切換可能であると共に、走行装置４の前進、後進の切換が可能である。車体３の後方（ミッションケース８の後方）にはＰＴＯ軸１０が突出し
ている。
【００１４】
走行装置４は、車体３の前部に設けられた前輪４Ｆと、車体３の後部に設けられた後輪４Ｒとを有している。前輪４Ｆは、車体フレーム６に支持されている。後輪４Ｒは、後輪差動装置の出力軸に支持されている。
車体３には、運転席１１と、運転席１１を囲うキャビン１２が搭載されている。運転席１１の周囲（右前方）には、表示装置１４が設けられている。表示装置１４は、例えば、タッチパネル式の液晶ディスプレイ（液晶モニタ）から構成される。
【００１５】
昇降装置５は、車体３の後部に設けられている。昇降装置５は、作業装置２０をトラクタ２に装着する装着体である。以下、昇降装置５を装着体５ともいう。作業装置２０を装着体（昇降装置）５に装着することによって、作業装置２０がトラクタ２の後部に装着される。これにより、トラクタ２によって作業装置２０を牽引することができる。
作業装置２０は、圃場等の地面に対して作業を行う装置である。作業装置２は、例えば、耕耘する耕耘装置、肥料を散布する肥料散布装置、農薬を散布する農薬散布装置、収穫を行う収穫装置、牧草等の刈取を行う刈取装置、牧草等の拡散を行う拡散装置、牧草等の集草を行う集草装置、牧草等の成形を行う成形装置等である。なお、図１４では、作業装置２０として耕耘装置（ロータリ耕耘装置）を取り付けた例を示している。
【００１６】
図１に示すように、トラクタ２は、操舵装置１３を備えている。操舵装置１３は、ハンドル（ステアリングホイール）１３ａと、ハンドル１３ａの回転に伴って回転する回転軸（操舵軸）１３ｂと、ハンドル１３ａの操舵を補助する補助機構（パワーステアリング機構）１３ｃと、を有している。補助機構１３ｃは、油圧ポンプ１５と、油圧ポンプ１５から吐出した作動油が供給される制御弁１６と、制御弁１６により作動するステアリングシリンダ１７とを含んでいる。制御弁１６は、制御信号に基づいて作動する電磁弁である。制御弁１６は、例えば、スプール等の移動によって切り換え可能な３位置切換弁である。また、制御弁１６は、操舵軸１３ｂの操舵によっても切換可能である。ステアリングシリンダ１７は、前輪４Ｆの向きを変えるアーム（ナックルアーム）１８に接続されている。
【００１７】
したがって、ハンドル１３ａを操作すれば、当該ハンドル１３ａの操作に応じて制御弁１６の切換位置及び開度が切り換わり、当該制御弁１６の切換位置及び開度に応じてステアリングシリンダ１７が左又は右に伸縮することによって、前輪４Ｆの操舵方向を変更することができる。なお、上述した操舵装置１３の構成は一例であり、操舵装置１３の構成は上述した構成に限定されない。
＜装着体＞
図２に示すように、装着体（昇降装置）５は、リフトアーム５ａ、ロアリンク５ｂ、トップリンク５ｃ、リフトロッド５ｄ、リフトシリンダ５ｅを有している。リフトアーム５ａの前端部は、変速装置を収容するミッションケース８の後部に上方又は下方に揺動可能に支持されている。リフトアーム５ａは、リフトシリンダ５ｅの駆動によって揺動（昇降）する。リフトシリンダ５ｅは、油圧シリンダから構成されている。リフトシリンダ５ｅは、制御弁（図示略）を介して油圧ポンプと接続されている。制御弁（リフトシリンダ用制御弁）は、電磁弁等であって、リフトシリンダ５ｅを伸縮させる。
【００１８】
ロアリンク５ｂの前端部５ｆは、トラクタ２の後部に上方又は下方に揺動可能に支持されている。トップリンク５ｃの前端部は、ロアリンク５ｂよりも上方において、ミッションケース８の後部に上方又は下方に揺動可能に支持されている。リフトロッド５ｄは、リフトアーム５ａとロアリンク５ｂとを連結している。作業装置２０は、少なくともロアリンク５ｂに連結される。具体的には、作業装置２０は、ロアリンク５ｂの後部及びトップリンク５ｃの後部に連結される。リフトシリンダ５ｅが駆動（伸縮）すると、リフトアーム５ａが昇降するとともに、リフトロッド５ｄを介してリフトアーム５ａと連結されたロアリンク５ｂが昇降する。これにより、作業装置２がロアリンク５ｂの前端部５ｆを支点として、上方又は下方に揺動（昇降）する。
【００１９】
ロアリンク５ｂは、トラクタ２の後部に取り付けられているが、取り付け部には若干の遊び（クリアランス）が設けられている。そのため、ロアリンク５ｂは、トラクタ２の後部に取り付けられた前端部５ｆを支点として、遊びの範囲内で車両幅方向（左方又は右方
）への若干の揺動が許容される。このようにロアリンク５ｂの揺動が許容されることによって、作業装置２０も車両幅方向（左方又は右方）への若干の揺動が許容される。これにより、作業中に作業装置２０に対して過大な負荷が加わることを防止できる。
＜測位装置の概要＞
図１に示すように、トラクタ２は、測位装置３０を備えている。測位装置３０は、Ｄ−ＧＰＳ、ＧＰＳ、ＧＬＯＮＡＳＳ、北斗、ガリレオ、みちびき等の衛星測位システム（測位衛星）により、自己の位置（緯度、経度を含む測位情報）を検出可能である。即ち、測位装置３０は、測位衛星から送信された衛星信号（測位衛星の位置、送信時刻、補正情報等）を受信し、衛星信号に基づいて、トラクタ２の位置（例えば、緯度、経度）、即ち、車体位置を検出する。測位装置３０は、トラクタ２の幅方向中心に配置されている。つまり、測位装置３０の車両幅方向の位置は、トラクタ２の幅方向中心と一致している。
【００２０】
測位装置３０は、受信装置３１と、慣性計測装置（ＩＭＵ：Inertial Measurement Unit）３２とを有している。受信装置３１は、アンテナ等を有していて測位衛星から送信された衛星信号を受信する装置であり、慣性計測装置３２とは別にトラクタ２に取り付けられている。図１４に示すように、本実施形態では、受信装置３１は、トラクタ２のキャビン１２のルーフ１２ａの上部に取り付けられている。なお、受信装置３１の取付箇所は実施形態に限定されない。例えば、キャビン１２を備えていないトラクタ２では、受信装置３１をロプスの上部等に取り付けることができる。
【００２１】
慣性計測装置３２は、加速度を検出する加速度センサ、角速度を検出するジャイロセンサ等を有している。慣性計測装置３２は、トラクタ２の下方（例えば、運転席１１の下方）に設けられている。慣性計測装置３２によって、トラクタ２のロール角、ピッチ角、ヨー角等を検出することができる。
図１に示すように、操舵装置１３は、自動操舵機構２５を有している。自動操舵機構２５は、トラクタ２の自動操舵を行う機構である。自動操舵機構２５は、測位装置３０で検出されたトラクタ２の位置（車体位置）に基づいてトラクタ２を自動で操舵する。自動操舵機構２５は、ステアリングモータ２６とギア機構２７とを備えている。ステアリングモータ２６は、車体位置に基づいて、回転方向、回転速度、回転角度等を制御可能なモータである。ギア機構２７は、回転軸（操舵軸）１３ｂに設けられ且つ当該回転軸１３ｂと供回りするギアと、ステアリングモータ２６の回転軸に設けられ且つ当該回転軸１３ｂと供回りするギアとを含んでいる。ステアリングモータ２６の回転軸が回転すると、当該回転はギア機構２７を介して回転軸１３ｂに伝達され、回転軸１３ｂが回転する。これにより、前輪４Ｆの操舵方向を変更して、車体位置（車両幅方向中心）を後述する目標走行経路（走行予定ルート）Ｌ１に一致させることができる。
＜制御装置の概要＞
図１に示すように、トラクタ２は、制御装置４０を備えている。制御装置４０は、トラクタ２における走行系の制御、作業系の制御等を行う装置である。
【００２２】
制御装置４０は、トラクタ２の自動走行を制御する自動走行制御部４４を備えている。自動走行制御部４４は、制御装置４０に設けられた電気・電子回路、ＣＰＵ等に格納されたプログラム等から構成されている。
以下、自動走行制御部４４によるトラクタ２の自動走行の制御について説明する。
図３は、トラクタ２の自動走行中における目標走行経路（走行予定ルート）Ｌ１、トラクタ２、作業装置２０の位置関係の一例を示している。
【００２３】
図３において、ＰＷ１は目標走行経路Ｌ１上に位置させるべき制御対象の位置（以下、「制御対象位置ＰＷ１」という）である。ＰＷ２は、測位装置３０で検出されたトラクタ２の車体位置（以下、「検出車体位置ＰＷ２」という）である。ここでは、制御対象位置ＰＷ１は作業装置２０の幅方向中心Ｗ２にあり、検出車体位置ＰＷ２はトラクタ２の幅方向中心Ｗ１にある。
【００２４】
また、ΔＬは、目標走行経路Ｌ１に対する検出車体位置ＰＷ２の車両幅方向の偏差（以下、「ズレ量」という）である。ΔＷは、検出車体位置ＰＷ２に対する制御対象位置ＰＷ１の車両幅方向の偏差（以下、「オフセット量」という）である。以下、左方向の偏差に
＋（プラス）を付し、右方向の偏差に−（マイナス）を付して表す場合がある。
制御対象位置ＰＷ１は、制御対象位置ＰＷ１＝検出車体位置ＰＷ２＋ΔＷと表すことができる。また、検出車体位置ＰＷ２は、検出車体位置ＰＷ２＝目標走行経路Ｌ１−ΔＬと表すことができる。そのため、制御対象位置ＰＷ１は、制御対象位置ＰＷ１＝Ｌ１＋（ΔＷ−ΔＬ）と表すことができる。
【００２５】
自動走行制御部４４は、偏差（ΔＷ−ΔＬ）が０となるようにトラクタ２の自動走行を制御する。つまり、自動走行制御部４４は、車両幅方向において、制御対象位置ＰＷ１が目標走行経路Ｌ１と一致するように、トラクタ２の自動走行を制御する。
以下、自動走行制御部４４による具体的な制御方法について説明するが、ここではΔＷ＝０の場合、つまり車両幅方向において制御対象位置ＰＷ１と検出車体位置ＰＷ２が一致している場合について説明する。ΔＷ≠０の場合については後述する。
【００２６】
自動走行制御部４４は、自動走行を開始すると、偏差（ΔＷ−ΔＬ）が０となる（閾値未満となる）位置でトラクタ２が走行するように自動操舵機構２５のステアリングモータ２６を制御する。また、自動走行制御部４４は、自動走行を開始すると、変速装置の変速段、原動機の回転数等を自動的に変更することによって、トラクタ２の車速（速度）を制御する。
【００２７】
図４（ａ）に示すように、トラクタ２が自動走行を行っている状況下において、検出車体位置ＰＷ２と目標走行経路Ｌ１との車両幅方向の偏差が閾値未満である場合（ΔＬ＝０とみなせる場合）、自動走行制御部４４は、ステアリングモータ２６の回転軸の回転角を維持する。この場合、ΔＷ＝０、ΔＬ＝０であるため、（ΔＷ−ΔＬ）＝０である。
図４（ｂ）に示すように、検出車体位置ＰＷ２と目標走行経路Ｌ１との偏差ΔＬが閾値以上であって、トラクタ２が目標走行経路Ｌ１に対して左側に位置している場合（ΔＬ＞０の場合）、自動走行制御部４４は、トラクタ２の操舵方向が右方向となるようにステアリングモータ２６の回転軸を回転する。この場合、ΔＷ＝０、ΔＬ＞０であるため、（ΔＷ−ΔＬ）＜０である。自動走行制御部４４は、トラクタ２を右方向に操舵することによって、（ΔＷ−ΔＬ）が０となるようにトラクタ２の自動走行を制御する。
【００２８】
図４（ｃ）に示すように、検出車体位置ＰＷ２と目標走行経路Ｌ１との偏差ΔＬが閾値以上であって、トラクタ２が目標走行経路Ｌ１に対して右側に位置している場合（ΔＬ＜０の場合）、自動走行制御部４４は、トラクタ２の操舵方向が左方向となるようにステアリングモータ２６の回転軸を回転する。この場合、ΔＷ＝０、ΔＬ＜０であるため、（ΔＷ−ΔＬ）＞０である。自動走行制御部４４は、トラクタ２を左方向に操舵することによって、（ΔＷ−ΔＬ）が０となるようにトラクタ２の自動走行を制御する。
【００２９】
上述した自動走行制御部４４による制御によって、トラクタ２は、目標走行経路Ｌ１に沿って自動走行することが可能である。
なお、目標走行経路Ｌ１の方位とトラクタ（走行車両）２の進行方向（走行方向）の方位（車体方位）Ｆ１とが異なる場合、即ち、目標走行経路Ｌ１に対する車体方位Ｆ１の角度θｇが閾値以上である場合（図４（ｄ）参照）、自動走行制御部４４は、角度θｇが零となる（車体方位Ｆ１が目標走行経路Ｌ１の方位に一致する）ように操舵角を設定する制御を行ってもよい。また、自動走行制御部４４は、偏差（位置偏差）に基づいて求めた操舵角と、方位（方位偏差）に基づいて求めた操舵角とに基づいて、自動操舵における最終の操舵角を設定してもよい。上述した実施形態における自動操舵における操舵角の設定は一例であり、限定されない。
＜手動昇降制御、自動上昇制御＞
図１に示すように、制御装置４０には、昇降スイッチ４１、操舵角検出装置４２、切換スイッチ４３が接続されている。制御装置４０は、昇降スイッチ４１、切換スイッチ４３の操作、操舵角検出装置４２による操舵角の検出に基づいて、手動昇降制御、自動上昇制御等を行うことができる。
【００３０】
手動昇降制御は、制御装置４０に接続された昇降スイッチ４１の操作に基づいて装着体（昇降装置）５による作業装置２０を昇降する制御である。具体的には、昇降スイッチ４１は、運転席１１の周囲に設けられている３位置切換スイッチである。昇降スイッチ４１
を中立位置から一方に切り換えると、昇降装置５（リフトアーム５ａ）を上昇させる上昇信号が制御装置４０に入力される。また、昇降スイッチ４１を中立位置から他方に切り換えると、昇降装置５（リフトアーム５ａ）を下降させる下降信号が制御装置４０に入力される。制御装置４０は、上昇信号を取得すると制御弁（リフトシリンダ用制御弁）に制御信号を出力することで装着体（昇降装置）５を上昇させ、下降信号を取得すると制御弁（リフトシリンダ用制御弁）に制御信号を出力することで装着体５を下降させる。つまり、制御装置４０は、昇降スイッチ４１の手動操作に応じて装着体５を昇降させる手動昇降制御をすることができる。
【００３１】
また、自動上昇制御は、操舵装置１３の操舵角が所定以上、例えば、旋回に対応する操舵角である場合に、自動的に装着体（昇降装置）５を作動させることで作業装置２０を上昇する制御である。操舵角検出装置４２は、操舵装置１３の操舵角を検出する装置である。切換スイッチ４３は、自動上昇制御の有効／無効を切り換えるスイッチであって、ＯＮ／ＯＦＦに切り換え可能なスイッチである。切換スイッチ４３がＯＮである場合、自動上昇制御が有効に設定され、切換スイッチ４３がＯＦＦである場合、自動上昇制御が無効に設定される。
【００３２】
制御装置４０は、自動上昇制御が有効であり且つ操舵角検出装置４２が検出した操舵角が旋回に相当する操舵角以上である場合、制御弁（リフトシリンダ用制御弁）に制御信号を出力することで装着体５を自動的に上昇させる自動上昇制御を行う。
以上のように、制御装置４０によって、トラクタ２に関する制御、例えば、手動昇降制御、自動上昇制御を行うことができる。
＜オフセット取得部＞
図１に示すように、トラクタ２は、オフセット取得部５０を備えている。オフセット取得部５０は、表示装置１４に設けられた電気・電子回路、ＣＰＵ等に格納されたプログラム等から構成されている。尚、オフセット取得部５０は、制御装置４０に設けてもよい。
【００３３】
オフセット取得部５０は、トラクタ２の幅方向中心Ｗ１と作業装置２０の特定位置Ｐ１との車両幅方向のオフセット量ΔＷ（図５Ａ、図５Ｂ参照）及びオフセット方向を取得する。オフセット方向は、車両幅方向における作業装置２０の特定位置Ｐ１に対するトラクタ２の幅方向中心Ｗ１の偏位方向（左側又は右側）である。尚、上述したように、トラクタ２の幅方向中心Ｗ１は、測位装置３０の車両幅方向の位置と一致している。
【００３４】
作業装置２０の特定位置Ｐ１は、作業装置２０の種類や形状等に応じて適当な位置を設定することができ、作業装置２０の幅方向中心Ｗ２と一致するように設定してもよいし（図５Ａ参照）、作業装置２０の幅方向中心Ｗ２と一致しない位置（幅方向中心Ｗ２からずれた位置）に設定してもよい（図５Ｂ参照）。作業装置２０の特定位置Ｐ１は、上述の制御対象位置ＰＷ１と一致する。
【００３５】
図５Ａは、作業装置２０の特定位置Ｐ１が、車両幅方向において、作業装置２０の幅方向中心Ｗ２と一致する場合を示している。例えば、図５Ａに示すように、作業装置２０の幅方向中心Ｗ２と作業装置２０の作業幅（例えば耕耘幅）ＷＡの中心Ｗ３とが一致する場合、作業装置２０の幅方向中心Ｗ２を特定位置Ｐ１として設定する。この場合、オフセット取得部５０は、作業装置２０の幅方向中心Ｗ２を特定位置Ｐ１としてオフセット量ΔＷ及びオフセット方向を取得する。
【００３６】
図５Ｂは、作業装置２０の特定位置Ｐ１が、車両幅方向において、作業装置２０の幅方向中心Ｗ２と一致しない場合を示している。例えば、図５Ｂに示すように、作業装置２０の幅方向中心Ｗ２と作業幅ＷＡの中心Ｗ３とが一致しない場合、作業装置２０の幅方向中心Ｗ２ではなく、作業幅ＷＡの中心Ｗ３を作業装置２０の特定位置Ｐ１として設定する。この場合、オフセット取得部５０は、作業装置２０の幅方向中心Ｗ２からずれた位置（作業幅ＷＡの中心Ｗ３）を特定位置Ｐ１としてオフセット量ΔＷ及びオフセット方向を取得する。
【００３７】
例えば、作業装置２０がセンタードライブ式の耕耘装置である場合、作業装置２０の幅方向中心Ｗ２と作業装置２０の作業幅（耕耘幅）ＷＡの中心Ｗ３とが一致するため、作業装置２０の幅方向中心Ｗ２を特定位置Ｐ１とする。一方、作業装置２０がサイドドライブ
式の耕耘装置である場合、作業装置２０の幅方向中心Ｗ２と作業装置２０の作業幅（耕耘幅）ＷＡの中心Ｗ３とは一致しないため、作業幅ＷＡの中心Ｗ３を作業装置２０の特定位置Ｐ１とする。
【００３８】
以下、作業装置２０の幅方向中心Ｗ２と作業幅の中心Ｗ３とが一致する場合（図５Ａ参照）を例として、オフセット取得部５０の具体的構成について説明する。
オフセット取得部５０は、作業者により入力されたオフセット量及びオフセット方向を取得する構成（第１構成）、又は、後述する検出部６０により検出された検出結果に基づいてオフセット量及びオフセット方向を取得する構成（第２構成）を有している。
【００３９】
先ず、オフセット取得部５０の第１構成について説明する。
オフセット取得部５０の第１構成は、トラクタ２の幅方向中心Ｗ１に対する作業装置２０の幅方向中心Ｗ２のオフセット方向及びオフセット量が、トラクタ２の自動走行の開始前に判明している場合に使用される。例えば、作業者によって装着体（昇降装置）５に対して作業装置２０が取り付けられた時点において、作業装置２０の取り付け位置が車両幅方向に偏位していることを作業者が認識していた場合等に使用される。
【００４０】
図６に示すように、オフセット取得部５０は、トラクタ２を示す図形Ｄ１と、作業装置２０を示す図形Ｄ２とを、表示装置１４の表示部４５に表示される設定画面Ｍ１に表示する。また、オフセット取得部５０は、オフセット量ΔＷを入力するオフセット量入力部５１と、オフセット（偏位）の方向を入力するオフセット方向入力部５２とを、表示装置１４の表示部４５に表示される設定画面Ｍ１に表示する。
【００４１】
オフセット量入力部５１は、トラクタ２の幅方向中心Ｗ１に対する作業装置２０の特定位置（作業装置２０の幅方向中心Ｗ２）の偏位量（距離）をオフセット量ΔＷとして入力する部分である。オフセット方向入力部５２は、作業装置２０の特定位置Ｐ１（作業装置２０の幅方向中心Ｗ２）に対するトラクタ２の幅方向中心Ｗ１の偏位方向（左側又は右側）を入力する部分である。図６の場合、オフセット方向は「左」である。尚、トラクタ２の幅方向中心Ｗ１に対する作業装置２０の特定位置（作業装置２０の幅方向中心Ｗ２）の偏位方向（図６の場合、右）をオフセット方向入力部５２に入力して、オフセット取得部５０が、入力された方向と逆方向（左）をオフセット方向として取得するように構成してもよい。
【００４２】
作業者（運転者）は、表示装置１４に表示されたオフセット量入力部５１にオフセット量ΔＷを入力し、オフセット方向入力部５２にオフセット方向を入力する。オフセット取得部５０は、オフセット量入力部５１に入力されたオフセット量ΔＷと、オフセット方向入力部５２に入力されたオフセット方向とを取得する。
次に、オフセット取得部５０の第２構成について説明する。
【００４３】
オフセット取得部５０の第２構成は、トラクタ２の幅方向中心Ｗ１に対する作業装置２０の幅方向中心Ｗ２のオフセット方向及びオフセット量が、トラクタ２の自動走行の開始前に判明していない場合等に使用される。例えば、作業者によって装着体（昇降装置）５に対して作業装置２０が取り付けられた時点では作業装置２０の取り付け位置が車両幅方向に偏位していないが、走行中に偏位が生じる可能性がある場合等に使用される。
【００４４】
第２構成におけるオフセット取得部５０は、検出部６０により検出された検出結果に基づいてオフセット量及びオフセット方向を取得する。検出部６０は、装着体（昇降装置）５の基準位置に対する位置の変化を検出する。装着体５の基準位置は、トラクタ２の幅方向中心Ｗ１と作業装置２０の特定位置Ｐ１（作業装置２０の幅方向中心Ｗ２）とが、車両幅方向において一致するときの装着体５の位置である。図７Ａ，図７Ｂは、装着体５が基準位置にあるときの状態を示している。図７Ａは作業車両１の全体図であり、図７Ｂは作業車両１の要部拡大図である。
【００４５】
検出部６０は、装着体８の位置（本実施形態の場合、ロアリンク５ｂの位置）が基準位置から変化したときに当該変化を検出するセンサである。このようなセンサとしては、例えば、角度センサ又はストロークセンサが使用される。
図８は、検出部６０として角度センサ６２を使用した第１検出機構６１の例を示している。
【００４６】
第１検出機構６１は、接続杆６３と、アーム６４と、角度センサ６２と、を有している。接続杆６３は、一端側がロアリンク５ｂの中途部に接続（枢支）されて前方に延びている。接続杆６３の他端側は、アーム６４に接続（枢支）されている。アーム６４の一端側は、接続杆６３の他端側と接続（枢支）されている。アーム６４の他端側は、トラクタ２の車体３（ミッションケース８）の側面に接続（枢支）されている。
【００４７】
接続杆６３は、トラクタ２に対してロアリンク５ｂが前端部５ｆを支点として車両幅方向（左方又は右方）に揺動すると、当該揺動に伴って前後方向に移動する。アーム６４は、接続杆６３が前後方向に移動すると、トラクタ２側の他端部を支点として回動し、接続杆６３に対する角度αが変化する。角度センサ６２は、接続杆６３とアーム６４との接続部に取り付けられており、アーム６４の回動によって生じる接続杆６３とアーム６４との間の角度αの変化を検出する。
【００４８】
例えば、図９に示すように、トラクタ２の自動走行中において、トラクタ２に対して作業装置２０が車両幅方向の右側に移動（揺動）し、トラクタ２の幅方向中心Ｗ１に対して作業装置２０の特定位置Ｐ１（幅方向中心Ｗ２）が右側にオフセットした場合を考える。この場合、作業装置２０が連結されたロアリンク５ｂが前端部５ｆを支点としてトラクタ２に対して右側に揺動するため、接続杆６３が前方に移動する。接続杆６３が前方に移動すると、角度αが変化（減少）し、この角度の変化が角度センサ６２により検出される。
【００４９】
上述の通り、第１検出機構６１における検出部６０である角度センサ６２は、装着体５が基準位置にあるときの角度αに対する角度αの変化（図８の角度αと図９の角度αとの差異）を検出することにより、基準位置に対する装着体５の車両幅方向の位置の変化（車両幅方向の揺動）が生じたことを検出する。
図１０は、検出部６０としてストロークセンサ６６を使用した第２検出機構６５の例を示している。
【００５０】
第２検出機構６５は、シリンダ装置６７と、アーム６８と、ストロークセンサ６６と、を有している。シリンダ装置６７は、先端部（ロッド６７ａの先端部）がロアリンク５ｂの中途部に接続（枢支）されており、基端部（チューブ６７ｂの基端部）がアーム６８の一端部に接続（枢支）されている。シリンダ装置６７は、前後方向に延びており、ロッド６７ａは前後方向に伸縮可能である。アーム６８の他端部は、トラクタ２の車体３（ミッションケース８）の側面に接続されている。車体３に対するアーム６８の角度は固定されている。ストロークセンサ６６は、シリンダ装置６７に取り付けられており、当該シリンダ装置６７のロッド６７ａの伸縮量を検出する。
【００５１】
トラクタ２に対してロアリンク５ｂが前端部５ｆを支点として車両幅方向（左方又は右方）に揺動すると、当該揺動に伴ってシリンダ装置６７のロッド６７ａが伸縮し、このロッド６７ａの伸縮量がストロークセンサ６６により検出される。
例えば、図１１に示すように、トラクタ２の自動走行中において、トラクタ２に対して作業装置２０が車両幅方向の右側に移動（揺動）し、トラクタ２の幅方向中心Ｗ１に対して作業装置２０の特定位置Ｐ１（幅方向中心Ｗ２）が右側にオフセットした場合を考える。この場合、作業装置２０が連結されたロアリンク５ｂが前端部５ｆを支点としてトラクタ２に対して右側に揺動するため、シリンダ装置６７のロッド６７ａの長さが変化（短縮）する。このシリンダ装置６７のロッド６７ａの長さの変化がストロークセンサ６６により検出される。
【００５２】
上述の通り、第２検出機構６５における検出部６０であるストロークセンサ６６は、装着体５が基準位置にあるときのシリンダ装置６７のロッド６７ａの長さに対する長さの変化（ストロークの変化）を検出することにより、基準位置に対する装着体５の車両幅方向の位置の変化（車両幅方向の揺動）が生じたことを検出する。
以上、検出部６０として角度センサ６２又はストロークセンサ６６を使用した場合について説明したが、検出部６０は角度センサ６２やストロークセンサ６６には限定されない。例えば、検出部６０を、トラクタ２に取り付けたカメラと、当該カメラにより撮影した画像を分析する画像分析装置とから構成してもよい。この場合、カメラによって装着体５又は作業装置２０を撮影し、撮影された画像に基づいて画像分析装置によって装着体５又
は作業装置２０の車両幅方向の位置の変化を検出する構成とすることができる。
【００５３】
オフセット取得部５０は、検出部６０が検出した変化量に基づいてオフセット量ΔＷ及びオフセット方向を算出して取得する。例えば、検出部６０が角度センサ６２である場合、オフセット取得部５０は、検出部６０が検出した角度αの変化量と、予めオフセット取得部５０に入力されて記憶された既知情報（ロアリンク５ｂの長さ及び取り付け角度、作業装置２０の車両幅方向の長さ、アーム６４の長さ、接続杆６３の長さ、ロアリンク５ｂの前端部５ｆの位置、トラクタ２に対するアーム６４の接続位置、ロアリンク５ｂに対する接続杆６３の接続位置、作業装置２０が基準位置にあるときの角度α等）に基づいて、オフセット量ΔＷ及びオフセット方向を算出して取得する。
【００５４】
また、例えば、検出部６０がストロークセンサ６６である場合、オフセット取得部５０は、検出部６０が検出したロッド６７ａの長さの変化量と、予めオフセット取得部５０に入力されて記憶された既知情報（ロアリンク５ｂの長さ及び取り付け角度、作業装置２０の車両幅方向の長さ、アーム６８の長さ、シリンダ装置６７の長さ、ロアリンク５ｂの前端部５ｆの位置、トラクタ２に対するアーム６８の接続位置、ロアリンク５ｂに対するロッド６７ａの接続位置、作業装置２０が基準位置にあるときのロッド６７ａの長さ等）に基づいて、オフセット量ΔＷ及びオフセット方向を算出して取得する。
＜走行位置修正部＞
図１に示すように、トラクタ２の自動走行制御部４４は、トラクタ２の走行位置を修正する走行位置修正部７０を備えている。走行位置修正部７０は、制御装置４０に設けられた電気・電子回路、ＣＰＵ等に格納されたプログラム等から構成されている。走行位置修正部７０は、自動走行制御部４４ｂの一部として構成してもよいし、自動走行制御部４４とは別に構成されるが自動走行制御部４４と連携して動作可能に構成してもよい。また、走行位置修正部７０は、表示装置１４に設けてもよい。
【００５５】
走行位置修正部７０は、オフセット取得部５０が取得したオフセット量及びオフセット方向に基づいて、作業装置２０の特定位置Ｐ１（制御対象位置ＰＷ１）が目標走行経路Ｌ１上に位置するようにトラクタ２の走行位置を修正する。詳しくは、走行位置修正部７０は、作業装置２０の特定位置Ｐ１が目標走行経路Ｌ１上に位置しておらず且つオフセット量ΔＷ≠０の場合（例えば、図１２に示す場合）に、オフセット量及びオフセット方向に基づいてトラクタ２の走行位置を修正する。走行位置修正部７０によるトラクタ２の走行位置の修正は、走行装置修正部７０からの指令（制御信号）に基づいて自動走行制御部４４が前輪４Ｆの操舵方向を変更することにより実行される。
【００５６】
走行位置修正部７０が行う「オフセット方向に基づく制御」は、２種類の制御を含む。
第１の制御は、作業装置２０の特定位置Ｐ１に対するトラクタ２の幅方向中心Ｗ１のオフセット方向と、作業装置２０の特定位置Ｐ１に対する目標走行経路Ｌ１のズレ方向とが一致する場合の制御である。
第２の制御は、作業装置２０の特定位置Ｐ１に対するトラクタ２の幅方向中心Ｗ１のオフセット方向と、作業装置２０の特定位置Ｐ１に対する目標走行経路Ｌ１のズレ方向とが一致しない（反対方向である）場合の制御である。
【００５７】
以下、図１３Ａ、図１３Ｂを参照して、走行位置修正部７０が行う２種類の制御について説明する。尚、ここでは、作業装置２０の特定位置Ｐ１（制御対象位置ＰＷ１）が作業装置２０の幅方向中心Ｗ２にある場合について説明する。
図１３Ａは、走行位置修正部７０が第１の制御を行った場合を示している。
図１３Ａの下部は、第１の制御が行われる前の状態を示している。このとき、トラクタ２の幅方向中心Ｗ１（検出車体位置ＰＷ２）は目標走行経路Ｌ１上に位置しているが、作業装置２０の特定位置Ｐ１（制御対象位置ＰＷ１）は検出車体位置ＰＷ２に対してΔＷ４だけオフセットしており、目標走行経路Ｌ１上に位置していない。作業装置２０の特定位置Ｐ１に対するトラクタ２の幅方向中心Ｗ１のオフセット方向（右）Ｃ１と、作業装置２０の特定位置Ｐ１に対する目標走行経路Ｌ１のズレ方向（右）Ｃ２とは一致している。この場合、上述した「制御対象位置ＰＷ１＝検出車体位置ＰＷ２＋（ΔＷ−ΔＬ）」において、ΔＬ＝０、ΔＷ＝ΔＷ４≠０、（ΔＷ−ΔＬ）＝ΔＷ４≠０である。
【００５８】
この場合、オフセット取得部５０は、上述した第１構成又は第２構成によって、オフセット量として「ΔＷ４」を取得し、オフセット方向として「右」を取得する。走行装置修正部７０は、オフセット取得部５０が取得したオフセット量及びオフセット方向に基づく制御信号、具体的には、トラクタ２をオフセット量ΔＷ４だけオフセット方向Ｃ１と同じ方向（右側）に移動させる制御信号を自動走行制御部４４に対して出力する。自動走行制御部４４は、当該制御信号に基づいて前輪４Ｆをオフセット方向と同じ側（右側）に操舵することによって、トラクタ２の走行位置をオフセット量ΔＷ４だけ右側にシフトさせる。これにより、図１３Ａの上部に示すように、トラクタ２の走行位置は、作業装置２０の特定位置Ｐ１（制御対象位置ＰＷ１）が目標走行経路Ｌ１上に位置するように修正される。つまり、自動走行制御部４４は、トラクタ２を右方向に操舵することによって、（ΔＷ−ΔＬ）＝０となるように、トラクタ２の自動走行を制御する。
【００５９】
図１３Ｂは、走行位置修正部７０が第２の制御を行った場合を示している。
図１３Ｂの下部は、第２の制御が行われる前の状態を示している。このとき、トラクタ２の幅方向中心Ｗ１（検出車体位置ＰＷ２）は目標走行経路Ｌ１からΔＬだけずれている。作業装置２０の特定位置Ｐ１（制御対象位置ＰＷ１）は検出車体位置ＰＷ２に対してΔＷ５だけオフセットしており、目標走行経路Ｌ１上に位置していない。作業装置２０の特定位置Ｐ１に対するトラクタ２の幅方向中心Ｗ１のオフセット方向（右）Ｃ３と、作業装置２０の特定位置Ｐ１に対する目標走行経路Ｌ１のズレ方向（左）Ｃ４とは一致しない（反対方向である）。この場合、上述した「制御対象位置ＰＷ１＝検出車体位置ＰＷ２＋（ΔＷ−ΔＬ）」において、ΔＬ≠０、ΔＷ＝ΔＷ５≠０、（ΔＷ−ΔＬ）≠０である。
【００６０】
この場合、オフセット取得部５０は、オフセット量として「ΔＷ５」を取得し、オフセット方向として「右」を取得する。走行装置修正部７０は、オフセット取得部５０が取得したオフセット量及びオフセット方向に基づく制御信号、具体的には、トラクタ２をオフセット量ΔＷ５だけオフセット方向Ｃ３と反対方向（左側）に移動させる制御信号を自動走行制御部４４に対して出力する。自動走行制御部４４は、当該制御信号に基づいて前輪４Ｆをオフセット方向と反対側（左側）に操舵することによって、トラクタ２の走行位置をオフセット量ΔＷ５だけ左側にシフトさせる。これにより、図１３Ｂの上部に示すように、トラクタ２の走行位置は、作業装置２０の特定位置Ｐ１（制御対象位置ＰＷ１）が目標走行経路Ｌ１上に位置するように修正される。つまり、自動走行制御部４４は、トラクタ２を左方向に操舵することによって、（ΔＷ−ΔＬ）＝０となるように、トラクタ２の自動走行を制御する。
【００６１】
以上の通り、走行位置修正部７０は、「オフセット方向に基づく制御」として、第１の制御では前輪４Ｆをオフセット方向と同じ側に操舵し、第２の制御では前輪４Ｆをオフセット方向と反対側に操舵する。これにより、トラクタ２に対して作業装置２０が車両幅方向にオフセットした場合であっても、作業装置２０による作業跡が目標走行経路Ｌ１に対して車両幅方向にずれてしまうことを防止することができる。
【００６２】
図１３Ｃに示すように、走行位置修正部７０は、作業装置２０の特定位置Ｐ１（制御対象位置ＰＷ１）が目標走行経路Ｌ１上に位置している場合には、車両幅方向の走行位置の修正を行わない。走行位置修正部７０は、ΔＬ＝ΔＷであって且つ目標走行経路Ｌ１に対する検出車体位置ＰＷ２のズレ方向Ｃ５とオフセット取得部５０が取得したオフセット方向Ｃ６とが同方向である場合（図１３Ｃの場合）、作業装置２０の特定位置Ｐ１（制御対象位置ＰＷ１）が目標走行経路Ｌ１上に位置していると判断し、走行位置の修正を行わない。この場合、作業装置２０の特定位置Ｐ１が目標走行経路Ｌ１上に位置しているため、走行位置の修正は必要ない。
【００６３】
走行装置修正部７０は、オフセット取得部５０が取得したオフセット量及びオフセット方向に基づいてトラクタ２の走行位置を修正するときに、（ΔＷ−ΔＬ）が０ではないが予め設定した閾値未満となったときに作業装置２０の特定位置Ｐ１が目標走行経路Ｌ１上に位置したとみなしてもよい。この場合、走行装置修正部７０は、（ΔＷ−ΔＬ）が閾値未満となるようにトラクタ２の自動走行を制御する。
【００６４】
トラクタ２は、走行位置修正部７０の使用と不使用とを切り換える切換装置を備えてい
てもよい。例えば、トラクタ２が作業装置２０を装着していない状態で走行する場合や、作業内容等によってトラクタ２の幅方向中心と作業装置２０の特定位置との車両幅方向のオフセットが許容される場合には、走行位置修正部７０を不使用とすることができる。走行位置修正部７０を使用しない場合、走行位置修正部７０による修正が行われないため、トラクタ２は幅方向中心Ｗ１が目標走行経路Ｌ１に沿うように自動走行する。
＜効果＞
上記作業車両１によれば、以下の効果を奏する。
【００６５】
作業車両１は、目標走行経路Ｌ１に沿って自動走行可能な走行車両２と、走行車両２に装着される作業装置２０と、走行車両２の幅方向中心Ｗ１と作業装置２０の特定位置Ｐ１との車両幅方向のオフセット量及びオフセット方向を取得するオフセット取得部５０と、オフセット取得部５０が取得したオフセット量及びオフセット方向に基づいて、特定位置Ｐ１が目標走行経路Ｌ１上に位置するように走行車両２の走行位置を修正する走行位置修正部７０と、を備えている。
【００６６】
この構成によれば、オフセット取得部５０が取得した作業装置２０の特定位置Ｐ１のオフセット量及びオフセット方向に基づいて、走行位置修正部７０によって特定位置Ｐ１が目標走行経路Ｌ１上に位置するように走行車両２の走行位置を修正することができるため、走行車両２に対して作業装置２０が車両幅方向にオフセットした場合であっても、作業装置２０による作業跡が目標走行経路Ｌ１に対して車両幅方向にずれてしまうことを防止することができる。
【００６７】
また、作業装置２０は、走行車両２の後部に装着され、オフセット取得部５０は、作業装置２０の幅方向中心Ｗ２を特定位置Ｐ１としてオフセット量及びオフセット方向を取得する。
この構成によれば、作業装置２０の幅方向中心Ｗ２を特定位置Ｐ１とすることによって、作業装置２０の幅（車両幅方向の長さ）に基づいて特定位置Ｐ１の設定を容易に行うことができる。
【００６８】
また、オフセット量を入力するオフセット量入力部５１と、オフセット方向を入力するオフセット方向入力部５２と、を表示可能な表示装置１４を備え、オフセット取得部５０は、オフセット量入力部５１に入力されたオフセット量及びオフセット方向入力部５２に入力されたオフセット方向を取得する。
この構成によれば、オフセット量及びオフセット方向を取得するための付加的な構成（センサ等）を必要とせずに、オフセット量及びオフセット方向を確実に取得することができる。
【００６９】
また、走行車両２は、走行車両２の後部に設けられ且つ作業装置２０を装着する装着体５と、走行車両２の幅方向中心Ｗ１と特定位置Ｐ１とが車両幅方向において一致するときの装着体５の位置を基準位置とし、当該基準位置に対する装着体５の車両幅方向の位置の変化を検出する検出部６０と、を備え、オフセット取得部５０は、検出部６０が検出した変化に基づいてオフセット量及びオフセット方向を取得する。
【００７０】
この構成によれば、走行車両２が自動走行しているときに、走行車両２の幅方向中心Ｗ１に対して作業装置２０の幅方向の特定位置Ｐ１がオフセットした場合であっても、オフセット量及びオフセット方向を確実に取得することができる。
また、装着体５は、ロアリンク５ｂと、トップリンク５ｃと、リフトロッド５ｄとを備えた３点リンク機構から構成されており、作業装置２０は、少なくともロアリンク５ｂに連結されており、検出部６０は、ロアリンク５ｂの位置が基準位置から変化したときに当該変化を検出するセンサ６２，６６を含む。
【００７１】
この構成によれば、センサ６２，６６にてロアリンク５ｂの位置の変化を検出することによって、オフセット取得部５０がオフセット量及びオフセット方向を取得可能となるため、オフセット量及びオフセット方向の取得を簡易な構成で容易に行うことができる。
また、センサは、角度センサ６２又はストロークセンサ６６である。
この構成によれば、センサ６２，６６によるロアリンク５ｂの位置の変化の検出を簡易な構成で確実に行うことができる。
【００７２】
以上、本発明の一実施形態について説明したが、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【符号の説明】
【００７３】
１        作業車両
２        走行車両（トラクタ）
５        装着体（昇降装置）
５ｂ      ロアリンク
５ｃ      トップリンク
５ｄ      リフトロッド
２０      作業装置
５０      オフセット取得部
５１      オフセット量入力部
５２      オフセット方向入力部
６０      検出部
６２      角度センサ
６６      ストロークセンサ
７０      走行位置修正部
Ｌ１      目標走行経路
Ｐ１      作業装置の特定位置
Ｗ１      走行車両の幅方向中心
Ｗ２      作業装置の幅方向中心
【図１】
2020103087.tif 000003
【図２】
2020103087.tif 000004
【図３】
2020103087.tif 000005
【図４】
2020103087.tif 000006
【図５Ａ】
2020103087.tif 000007
【図５Ｂ】
2020103087.tif 000008
【図６】
2020103087.tif 000009
【図７Ａ】
2020103087.tif 000010
【図７Ｂ】
2020103087.tif 000011
【図８】
2020103087.tif 000012
【図９】
2020103087.tif 000013
【図１０】
2020103087.tif 000014
【図１１】
2020103087.tif 000015
【図１２】
2020103087.tif 000016
【図１３Ａ】
2020103087.tif 000017
【図１３Ｂ】
2020103087.tif 000018
【図１３Ｃ】
2020103087.tif 000019
【図１４】
2020103087.tif 000020